(57)【要約】【課題】胴部の開口端縁に延設された蓋片で、当該胴部の開口を閉じた状態を確実に維持することができる容器を提供する。【解決手段】シートから形成され、両端が開口した筒状の胴部１と、該胴部１の開口端縁を基端に延設された蓋片２とを備えてなり、蓋片２は、開口側に曲げられることで、開口を閉塞可能に構成されるとともに、当該蓋片２の先端側から前記基端側に向けて凸状に形成された挿入片５を先端部に有してなり、胴部１は、当該胴部１の開口を閉塞した蓋片２の挿入片５が挿入される挿入スリット６を周壁に有してなる容器において、前記胴部１及び蓋片２は、挿入スリット６に挿入片５を挿入した状態で、蓋片２の挿入片５より先端側で互いに係合する係合手段１１，１２を備えてなることを特徴とする。【選択図】          図１
2004323069.tif 000002
【特許請求の範囲】
【請求項１】
シートから形成され、両端が開口した筒状の胴部と、該胴部の開口端縁を基端に延設された蓋片とを備えてなり、蓋片は、開口側に曲げられることで、開口を閉塞可能に構成されるとともに、当該蓋片の先端側から前記基端側に向けて凸状に形成された挿入片を先端部に有してなり、胴部は、当該胴部の開口を閉塞した蓋片の挿入片が挿入される挿入スリットを周壁に有してなる容器において、前記胴部及び蓋片は、挿入スリットに挿入片を挿入した状態で、蓋片の挿入片より先端側で互いに係合する係合手段を備えてなることを特徴とする容器。
【請求項２】
前記係合手段は、胴部の周壁又は蓋片の何れか一方に設けられた係合片と、前記係合片を挿入可能に他方に設けられた係合スリットとで構成されてなり、前記係合片は、係合スリットに挿入された状態で、他方に対して傾斜した姿勢になるように設けられてなる請求項１記載の容器。
【請求項３】
前記係合スリットは、胴部の開口を閉塞した蓋片の先端部を、胴部の周壁と対向させた状態で、係合片と対向して略同方向で凸状をなす片部を形成するように、胴部の周壁又は蓋片の何れか他方が切り込まれて形成され、前記係合片は、先端部を前記係合スリットに挿入可能に形成されてなる請求項２記載の容器。
【発明の詳細な説明】
【０００１】
【発明の属する技術分野】
本発明は、被収容物を収容する箱状の容器に関し、特には、両端を開口した筒状の胴部と、該胴部の開口端縁から延出した蓋片とを備え、該胴部及び蓋片が一枚のシートから形成された容器に関する。
【０００２】
【従来の技術】
従来から、被収容物を収容する容器として、図６に示す如く、一枚のシート（例えば、プラスチックシートや、紙シート）から形成され、両端が開口した筒状の胴部５０と、該胴部５０の開口端縁を基端にして延出した蓋片５１とを備え、該蓋片５１を開口側に曲げることで胴部５０の開口を閉塞して箱状に形成されたものがある。
【０００３】
かかる容器は、蓋片５１で胴部５０の開口を閉塞した際に、シートの弾性により蓋片５１が胴部５０の開口を閉塞した状態から開放した状態になるのを防止すべく、蓋片５１の先端部に挿入片５３が形成され、胴部５０の周壁に前記挿入片５３を挿入する挿入スリット５４が形成されている。
【０００４】
挿入片５３は、当該蓋片５１を切り込むことで、蓋片５１の先端側から前記基端側に向けて凸状に形成されている。
【０００５】
該挿入片５３は、蓋片５１における挿入片５３より先端側を折り曲げることで、胴部５０の周壁と略直交した姿勢になり、該姿勢で当該挿入片５３の付け根近傍まで挿入スリット５４に挿入できるようになっている。
【０００６】
そして、挿入片５３は、挿入スリット５４に挿入した状態で、蓋片５１の折り曲げを直して先端側を胴部５０の周壁に接近させることで、挿入片５３が胴部５０の周壁に沿った姿勢（胴部５０の周壁に対して傾斜した姿勢）になり、挿入片５３の付け根近傍（挿入片５３を形成するための切り込みの端部）と挿入スリット５４を形成する縁部とが係合するようになっている。
【０００７】
これにより、蓋片５１自身の弾性力で当該蓋片５１が浮き上がって胴部５０の開口を開放するといった事態を防止することができるようになっている。
【０００８】
【発明が解決しようとする課題】
しかしながら、前述の如く、挿入片５３は、蓋片５１の先端側から基端に向けて凸状に形成されているので、挿入スリット５４に挿入した状態で、胴部５０の周壁に対して傾斜した姿勢になった際に、挿入スリット５４と挿入片５３とが係合することになるが、蓋片５１は、胴部５０の開口側に曲げることで当該開口を閉塞するように構成されているので、蓋片５１自身の弾性が作用し、当該蓋片５１によって挿入片５３の付け根近傍が胴部５０の開口側に引っ張られてしまう場合がある。
【０００９】
そのため、図７に示す如く、挿入片５３は、挿入スリット５４に対する挿入部位を支点にして回転し、周壁５５に対して交差した姿勢（挿入スリット５４への挿入時の略近似した姿勢）となってしまい、挿入片５３が挿入スリット５４から抜け易い状態になる場合があった。
【００１０】
特に、蓋片５１を湾曲状に曲げた状態で胴部５０の開口を閉じるようにした、いわゆるラウンドタイプの容器は、蓋片５１の湾曲により、当該蓋片５１に大きな弾性力が常に作用した状態となるので、挿入片５３の付け根近傍が常に引っ張られ、当該蓋片５１が胴部５０の周壁５５に対して交差した姿勢になり易く、挿入片５３が挿入スリット５４から抜け易い状態になるのが顕著である。
【００１１】
また、挿入片５３の挿入スリット５４への挿入時に、蓋片５１に折り癖が付いた場合には、挿入片５３が胴部５０の周壁に沿った姿勢（周壁に対して傾斜した姿勢）にはならず、この状態で蓋片５１の弾性力が作用すると、挿入片５３が挿入スリット５４から抜けてしまい、蓋片５１による胴部５０の開口の閉塞が解除されてしまう場合もあった。
【００１２】
そこで、本発明は、斯かる実情に鑑み、胴部の開口端縁に延設された蓋片で、当該胴部の開口を閉じた状態を確実に維持することのできる容器を提供することを課題とする。
【００１３】
【課題を解決するための手段】
本発明にかかる容器は、請求項１記載の如く、シートから形成され、両端が開口した筒状の胴部と、該胴部の開口端縁を基端に延設された蓋片とを備えてなり、蓋片は、開口側に曲げられることで、開口を閉塞可能に構成されるとともに、当該蓋片の先端側から前記基端側に向けて凸状に形成された挿入片を先端部に有してなり、胴部は、当該胴部の開口を閉塞した蓋片の挿入片が挿入される挿入スリットを周壁に有してなる容器において、前記胴部及び蓋片は、挿入スリットに挿入片を挿入した状態で、蓋片の挿入片より先端側で互いに係合する係合手段を備えてなることを特徴とする。
【００１４】
上記容器によれば、蓋片の先端部に設けられた挿入片が、蓋片の先端側から基端側に向けて凸状に形成されているので、挿入片を挿入スリットに挿入する際には、従来と同様に、胴部の開口を蓋片によって閉塞した状態で、蓋片における挿入片より先端側を折り曲げ、挿入片が胴部の周壁と略直交する姿勢にして挿入スリットに挿入することになる。そして、挿入片より先端側の部分を胴部の周壁に接近させることで、挿入片が元の姿勢に略近似して胴部の周壁に沿った状態になる。
【００１５】
そして、この状態で、係合手段によって挿入片より先端側で胴部及び蓋片を互いに係合させれば、蓋片における挿入片より先端側の部分が、胴部の周壁から離間するのを規制されることになる。したがって、蓋片の弾性力が作用して当該蓋片により挿入片の付け根近傍、或いはそれより先端側が胴部の開口側に引っ張られても、係合手段の係合により胴部の周壁からの蓋片の先端部分の離間が規制され、挿入スリットに挿入された姿勢（胴部の周壁に沿った姿勢）を維持させることができ、蓋片で胴部の開口を閉じた状態を確実に維持することができる。
【００１６】
また、請求項２記載の如く、前記係合手段は、胴部の周壁又は蓋片の何れか一方に設けられた係合片と、前記係合片を挿入可能に他方に設けられた係合スリットとで構成されてなり、前記係合片は、係合スリットに挿入された状態で、他方に対して傾斜した姿勢になるように設けられることが好ましい。なお、ここで「スリット」とは、切り込みのような線状の隙間を含むことは勿論のこと、長孔状のものも含む概念である。
【００１７】
このようにすれば、挿入片より先端側を他方から離間させようとする力が係合手段に作用しても、係合スリットに挿入した係合片が、他方に対して傾斜した姿勢、すなわち離間方向に交差した姿勢となっているので、係合スリットへの係合片の挿入により、その離間させようとする力に対抗することができる。これによって、係合片が係合スリットから離脱するのを確実に防止することができる。
【００１８】
また、請求項３記載の如く、前記係合スリットは、胴部の開口を閉塞した蓋片の先端部を、胴部の周壁と対向させた状態で、係合片と対向して略同方向で凸状をなす片部を形成するように、胴部の周壁又は蓋片の何れか他方が切り込まれて形成され、前記係合片は、先端部を前記係合スリットに挿入可能に形成されることが好ましい。このようにすれば、係合片と片部とを対向させた状態で係合片を胴部の軸心に向けて押圧すると、片部が係合片とともに撓んで係合スリットの隙間が大きくなるとともに、係合片及び片部の撓み角が大きくなり、最終的には係合片の先端部が係合スリットの縁部を乗り越えることになる。
【００１９】
そうすると、この状態で押圧を解除すれば、係合片及び片部が撓み状態から元の状態に復元して、係合片が胴部の周壁又は蓋片の何れか他方に対して傾斜した姿勢で係合スリットに挿入された状態になる。したがって、係合片を押圧するといった一工程（ワンタッチ）で係合片を係合スリットに挿入することができる。
【００２０】
また、蓋片を開けて胴部の開口を開放する際には、蓋片の先端を胴部の周壁から強制的に離間させることで、係合片が変形して係合スリットから抜けるとともに、蓋片の先端が回転移動するように蓋片が折り曲げられることになる。
【００２１】
そうすると、蓋片の折り曲げにより、挿入片が周壁と交差した姿勢になり、そのまま挿入片を挿入スリットから抜くことで蓋片を開けることができる。したがって、係合スリットからの係合片を抜き取る動作から蓋片を開ける一連の動作を一工程（ワンタッチ）で行うことができる。
【００２２】
【発明の実施の形態】
以下、本発明の一実施形態にかかる容器について、添付図面を参照して説明する。
【００２３】
本実施形態にかかる容器は、図１及び図２に示す如く、両端（上下端）が開口した筒状の胴部１と、該胴部１の上端開口を閉塞する蓋片２とを備えている。
【００２４】
前記胴部１は、互いに対向する平面状をなす一対の第一壁３ａ，３ｂと、該一対の第一壁３ａ，３ｂの側端同士を連結し、互いに対向する一対の第二壁４ａ，４ｂとで構成されて角筒状に形成されている。
【００２５】
前記第一壁３ａ，３ｂは、上端側の一方の角部が四分の一の円弧状に形成されており、第二壁４ａ，４ｂは、正面視略矩形状に形成されており、一方の第二壁４ａが他方の第二壁４ｂに比して上下方向の長さが長く設定されている。なお、ここで「四分の一の円弧状」とは、内角が略９０°に設定された円弧をいい、内角とは、円弧の中心と、円弧の両端とを結ぶ二本の仮想線同士でなす角度をいう。
【００２６】
前記第一壁３ａ，３ｂ及び第二壁４ａ，４ｂのそれぞれは、下端が水平方向に略面一に形成されており、一方の第二壁４ａの上端は、第一壁３ａ，３ｂの他方の角部側の上端と一致し、他方の第二壁４ｂの上端は、第一壁３ａ，３ｂの一方の角部を形成する円弧状をなす端縁の終端部と略一致している。
【００２７】
一方の第二壁４ａは、後述する挿入片５を挿入する挿入スリット６が上端部に設けられている。該挿入スリット６は、当該第二壁４ａを貫通するように切り込まれた切り込みである。該挿入スリット６（切り込み）は、第二壁４ａにおける短手方向（横方向）で略直線状に形成されており、両端部が胴部１の下端に向けてやや切り込まれている。下端に向けて切り込まれた切り込みは、第二壁４ａの短手方向の両端（側端）側に凸状をなして円弧状に形成されている。
【００２８】
前記蓋片２は、他方の第二壁４ｂの上端を基端にして延設されており、前記第一壁３ａ，３ｂの上端縁の形状に対応して四分の一の円弧状に湾曲させることで、胴部１の上端開口を閉じるように構成されている。
【００２９】
具体的には、蓋片２は、胴部１の開口端縁（第二壁４ｂの上端縁）を前記基端にして延設された蓋部７と、該蓋部７の先端から延出する折曲部８とで構成されている。
【００３０】
前記蓋部７は、第一壁３ａ，３ｂの上端縁の形状に対応させるように、湾曲状に曲げることで胴部１の上端開口を閉じるようになっている。すなわち、当該容器は、角をたてるように第二壁４ｂの蓋部７との接続部分（蓋部７の基端近傍）を折り曲げることなく胴部１の上端開口を閉じる、いわゆるラウンドタイプの容器である。
【００３１】
前記折曲部８は、前記蓋部７との境界に形成された折り曲げ罫線９で、折り曲げられることで、胴部１の一方の第二壁４ａの外面と対向するようになっている。蓋片２の先端部である折曲部８には、当該蓋片２が切り込まれて、先端側から前記基端側に凸状をなす前記挿入片５が形成されている。
【００３２】
該挿入片５は、当該挿入片５を形成する切り込みの両端から蓋片２の延出方向と直交する方向に延びる折り曲げ罫線１０で、折曲部８の先端側を折り曲げることで、切り込みより基端側の折曲部８に対して交差（対向する胴部１の第二壁４ａと交差）した姿勢になり、該姿勢で胴部１の外面側（一方の第二壁４ａの外面側）から胴部１の挿入スリット６に挿入するようになっている。
【００３３】
上記構成の胴部１及び蓋片２は、上述の如く挿入片５を挿入スリット６に挿入した状態で、該挿入位置より折曲部８の先端側（蓋片２の先端側）で互いに係合する係合手段を有している。
【００３４】
該係合手段は、前記挿入片５より蓋片２の先端側に設けられた係合片１１と、胴部１の一方の第二壁４ａに形成され、前記係合片１１が挿入される係合スリット１２とで構成されている。
【００３５】
前記係合片１１は、蓋片２の先端でもある折曲部８の先端から突出して形成されており、外縁が円弧状をなしている。該係合片１１は、挿入片５を挿入スリット６に挿入した状態で、先端部を係合スリット１２に挿入することができるように形状設定されている。
【００３６】
前記係合スリット１２は、胴部１の横方向に延びるように、一方の第二壁４ａを切り込んだ切り込みである。具体的には、係合スリット１２は、第二壁４ａが下方側（胴部１の下端側）に向けて凸状をなして円弧状に切り込まれて形成されている。これにより、一方の第二壁４ａには、係合スリット１２の形成により、当該係合スリット１２（切り込み）の形状に対応して、外縁が円弧状をなして胴部１の下端開口側に凸状の片部１３が形成されることになる。
【００３７】
該片部１３は、蓋片２（蓋部７）で胴部１の上端開口を閉塞した状態で、折曲部８（蓋片２の先端部）を第二壁４ａに対向させた際に、係合片１１と対向し、且つ同方向（胴部１の下端側）に凸状をなすように形成されている。換言すれば、前記係合スリット１２は、上記構成の片部１３を形成するように、第二壁４ａが切り込まれて形成されている。
【００３８】
さらに、上記構成の容器は、胴部１の下端開口を閉じるべく、胴部１の下端開口縁部には、胴部１の下端開口を閉塞する底片１４と、胴部１の開口を閉塞した底片１４の両側端部と胴部１との間に隙間が形成されるのを防止する一対の折込フラップ１５，１５とが延設されている。
【００３９】
前記底片１４は、胴部１の他方の第二壁４ｂの下端（胴部１の下端開口縁）を基端にして延設されている。該底片１４は、第二壁４ｂとの境界に形成された折り曲げ罫線１６で折り曲げることで、胴部１の下端開口を閉じる底部１７と、該底部１７の先端に延設されて当該底片１４の先端部を形成する曲げ部１８とで構成されている。該曲げ部１８は、底部１７との境界に形成された折り曲げ罫線１９で当該底片１４を折り曲げることで、一方の第二壁４ａ側の胴部１の下端開口内に挿入することができるようになっている。
【００４０】
前記一対の折込フラップ１５，１５は、各第一壁３ａ，３ｂの下端（胴部１の下端）を基端にして延設されている。該一対の折込フラップ１５，１５は、底部１７との境界に形成された折り曲げ罫線２０で胴部１の開口側に折り込まれるようになっている。
【００４１】
上記底片１４及び一対の折込フラップ１５，１５は、前記一対の折込フラップ１５，１５を胴部１の開口側に折り込んだ状態で、曲げ部１８を胴部１の下端開口に挿入することによって、底片１４（底部１７）及び折込フラップ１５，１５で胴部１の下端開口の閉塞を維持できるようになっている。
【００４２】
以上構成の容器は、所定形状に裁断された一枚のプラスチックシートを折り曲げ加工することにより形成されている。プラスチックシートについて、さらに詳しく説明すると、プラスチックシートは、厚さが０．２〜０．４ｍｍのポリプロピレンや、ポリエチレンテレフタレート等からなり、図３に示す如く、胴部１（第一壁３ａ，３ｂ、及び第二壁４ａ，４ｂ）を形成する胴部形成部３０と、前記蓋片２を形成する蓋形成部３１と、前記底片１４を形成する底形成部３２と、折込フラップ１５，１５を形成するフラップ形成部３３とで構成されている。
【００４３】
前記胴部形成部３０は、第一壁３ａ，３ｂを形成すべく、略短冊状をなす三つの第一領域３４ａ，３４ｂ，３４ｃと、第二壁４ａ，４ｂを形成する略矩形状をなす二つの第二領域３５ａ，３５ｂとで構成されている。
【００４４】
第一領域３４ａ，３４ｂ，３４ｃのうちの二つの第一領域３４ａ，３４ｂは、長手方向の一端における一方の角部が四分の一の円弧状に形成されており、残り一つの第一領域３４ｃは略矩形に形成されている。各第一領域３４ａ，３４ｂ，３４ｃは、矩形に形成された第一領域３４ｃを端にして、第二領域３５ａ，３５ｂを挟んで三つ横並びに形成されている。
【００４５】
各第二領域３５ａ，３５ｂは、矩形に形成されており、短手方向の幅が等しく設定されており、長手方向の長さが一方の第二壁４ａを形成する一方の第二領域３５ａに比して他方の第二壁４ｂを形成する他方の第二領域３５ｂが短く設定されている。第二領域３５ａ，３５ｂは、三つの第一領域３４ａ，３４ｂ，３４ｃ間にそれぞれ形成されており、長手方向の他端縁が第一領域３４ａ，３４ｂ，３４ｃの他端縁と同一直線上に位置するように、短手方向の両端縁が、第一領域３４ａ，３４ｂ，３４ｃの短手方向の端縁に連接されいる。
【００４６】
前記長手（一方）の第二領域３５ａの一端部には、長手方向の一端から他端に向けて所定間隔を有して短手方向に切り込まれて前記挿入スリット６が形成されている。
【００４７】
また、該挿入スリット６（直線状の切り込み）から他端に向けて所定間隔を有した位置に、短手方向に切り込まれて係合スリット１２が形成されている。該係合スリット１２は、上述の如く、当該第二領域３５ａの長手方向の他端側に凸状をなすように円弧状に切り込まれて形成され、該切り込みにより係合スリット１２に隣接した一端側に、当該第二領域３５ａの長手方向の他端に向けて凸状をなす前記片部１３が形成されている。
【００４８】
上記構成の胴部形成部３０は、各領域３４ａ，３４ｂ，３４ｃ，３５ａ，３５ｂの境界線上に折り曲げ罫線３６が形成されている。
【００４９】
前記蓋形成部３１は、短手（他方）の第二領域３５ｂの長手方向の一端を基端にして延設されている。該蓋形成部３１は、第一領域３４ａに連設された前記蓋部７を形成する蓋領域３１ａと、該蓋領域３１ａに連設されて前記折曲部８を形成する折曲領域３１ｂとで構成されている。なお、蓋領域３１ａと折曲領域３１ｂとの境界には、折り曲げ罫線９が形成されている。
【００５０】
前記蓋領域３１ａは、略矩形状に形成されており、前記第一領域３４ａ，３４ｂの円弧状に形成された角部の端縁の長さに対応した長さで、第二領域３５ｂの一端から延出している。
【００５１】
前記折曲領域３１ｂには、当該蓋形成部３１（折曲部８）が円弧状に切り込まれて蓋領域３１ａ側に凸状をなす前記挿入片５が形成されている。また、該折曲領域３１ｂは、挿入片５を形成する切り込みの両端から延出方向と直交する方向に延びる折り曲げ罫線１０が設けられており、当該折曲領域３１ｂの先端には、外周縁が円弧状に形成された前記係合片１１が延設されている。
【００５２】
前記底形成部３２は、短手（他方）の第二領域３５ｂの長手方向の他端を基端にして延設されている。該底形成部３２は、第二領域３５ｂに延設され前記底部１７を形成する底領域３２ａと、該底領域３２ａの先端に延設されて前記曲げ部１８を形成する曲げ領域３２ｂとで構成されている。第二領域３５ｂと底領域３２ａとの境界、及び該底領域３２ａと曲げ領域３２ｂとの境界には、折り曲げ罫線１６、１９が形成されている。
【００５３】
フラップ形成部３３は、三つの第一領域３４ａ，３４ｂ，３４ｃのうち第二領域３５ａ，３５ｂに挟まれた第一領域３４ｂ、及び残りの第一領域３４ａ，３４ｃの何れか一方の第一領域３４ａの長手方向の他端を基端に延設されており、第一領域３４ｂ，３４ｃとフラップ形成部３３との境界には、折り曲げ罫線２０が形成されている。
【００５４】
上記構成のプラスチックシートから容器を形成するには、まず、胴部形成部３０を折り曲げ罫線３６で折り曲げ、両端の第一領域３４ａ，３４ｃを面接着し、これによって角筒状の胴部１を形成し、図２に示した態様にする。
【００５５】
そして、各フラップ形成部３３を折り曲げ罫線２０に沿って折り込み（胴部１の内部側に折り曲げ）、底形成部３２（底領域３２ａ、曲げ領域３２ｂ）を折り曲げ罫線１６、１９に沿って折り曲げ、曲げ領域３２ｂ（曲げ部１８）を胴部１（折込フラップ１５，１５と、胴部１の第二壁４ａとの間）に挿入することで、胴部１の下端開口が完全に閉じられた状態となり、上端開口から被収容物を収容できる状態となる。
【００５６】
そして、胴部１内に被収容物を収容し、折曲領域３１ｂ（折曲部８）を折り曲げ罫線９に沿って折り曲げ、蓋片２（蓋形成部３１の蓋領域３１ａ）を第一壁３ａ，３ｂの円弧状の端縁に沿うよう湾曲させ、折曲領域３１ｂ（折曲部８）を一方の第二壁４ａの外面側と対向させる。
【００５７】
そして、図４（イ）に示す如く、蓋部７と折曲部８との境界に形成された折り曲げ罫線９近傍を、一方の第二壁４ａの上端面に略当接させた状態で、折曲部８の先端側を、挿入片５を形成する切り込みから横方向に延びる折り曲げ罫線１０に沿って、外側に曲げる。
【００５８】
そうすると、この曲げ（先端側の移動）に伴って、挿入片５が第二壁４ａと交差（略直交）した姿勢となる。この状態で、挿入片５の先端が挿入スリット６と対向状態となって、当該挿入スリット６に挿入可能な状態になる。
【００５９】
そして、挿入スリット６に挿入片５を挿入し、折曲部８の先端を胴部１（第二壁４ａ）に接近させると、図４（ロ）に示す如く、挿入片５は、挿入スリット６に挿入する際の姿勢に比して大きく傾斜して第二壁４ａの壁面に沿った姿勢、すなわち、第二壁４ａ（周壁の壁面）に対して傾斜した姿勢となる。
【００６０】
この状態で、図４（ハ）に示す如く、折曲部８の先端部（係合片１１）を胴部１側に押圧すると、片部１３が係合片１１に押されて胴部１の内部側に湾曲する（撓む）。そして、係合片１１及び片部１３の撓み角が大きくなると、該係合スリット１２を形成する胴部１の下端側の端縁を係合片１１の先端が乗り越えることになる。
【００６１】
この状態になると、図４（ニ）に示す如く、係合片１１及び片部１３が、弾性によって元の姿勢に戻ろうとして、それぞれの撓み角度が小さくなって、係合片１１の先端部が係合スリット１２に挿入された状態（係合スリット１２を形成する下端側の端縁と、係合スリット１２により形成された片部１３とで挟まれた状態）となって、蓋片２で胴部１の上端開口を閉塞した状態となる。
【００６２】
この状態で、係合片１１が第二壁４ａの壁面に沿った姿勢になり、挿入片５の挿入された挿入スリット６より胴部１の下端側で、係合片１１と係合スリット１２とが係合した状態になっているので、挿入片５は、第二壁４ａに沿った姿勢で維持することとなり、該挿入片５を形成する切り込みの両端部と、挿入スリット６の両端部との掛止状態が維持されることになる。
【００６３】
これにより、当該容器は、挿入片５が挿入スリット６から抜けやすい姿勢になるのを防止することができ、容易に蓋片２が胴部１の上端開口を開放してしまうといった事態になるのを防止することができる。
【００６４】
一方、蓋片２で胴部１の上端開口を閉塞した状態から、蓋片２を開けて胴部１の上端開口を開放するには、折曲部８の先端近傍を強制的に第二壁４ａから離間させるようにすれば、係合スリット１２から係合片１１が抜けるとともに、挿入片５を形成する切り込みの端部から延びる折り曲げ罫線１０で当該折曲部８自身が折れ曲がる。そうすると、これに伴って、挿入片５が第二壁４ａと交差（略直交）した姿勢になって、挿入片５が挿入スリット６から抜けることになり、蓋片２は、胴部１の上端開口を閉じた状態から開放した状態にすることができる。
【００６５】
すなわち、蓋片２の先端部を胴部１からめくるようにするだけで、係合手段による係合、及び挿入片５と挿入スリット６との係合が一工程で解除され、当該蓋片２をワンタッチで開けることができる。
【００６６】
以上構成の容器よれば、胴部１及び蓋片２は、挿入スリット６に挿入片５を挿入した状態で、挿入片５より蓋片２における先端側で互いに係合する係合手段を備えているので、係合手段で胴部１及び蓋片２を係合させれば、挿入スリット６に挿入した挿入片５が、挿入スリット６に挿入する際の姿勢より傾斜して胴部１の第二壁４ａに略沿った姿勢になり、挿入片５が挿入スリット６から離脱するのを防止した状態にすることができる。
【００６７】
また、係合手段を蓋片２の先端部に設けた係合片１１と、胴部１の第二壁４ａに形成した係合スリット１２で構成し、係合スリット１２に挿入した係合片１１が、胴部１の第二壁４ａの壁面に対して傾斜するようにしたので、構成が簡易でありながらも、胴部１と蓋片２とを確実に係合させることができる。
【００６８】
さらに、係合片１１を折曲部８（蓋片２）の先端に延設し、該係合片１１を挿入する係合スリット１２を胴部１（第二壁４ａ）に設けたので、係合片１１を、挿入片５と対称的（上下方向で対称）且つ胴部１の周壁（第二壁４ａ）の壁面に沿った姿勢になるように、容易に係合スリット１２に挿入することができる。これにより、挿入片５の付け根近傍から先端側のまでの範囲の何れかの部分が蓋片２の弾性力等の作用によって生じる「蓋片２の先端を胴部１の第二壁４ａから離間させて挿入片５を胴部１の第二壁４ａに対して交差した姿勢にさせようとする力（挿入スリット６に対する挿入片５の挿入部分を支点にして当該挿入片５を回転させようとする力）」に対して確実に対抗し得る状態で、胴部１及び蓋片２を互いに係合させることができる。
【００６９】
また、係合スリット１２は、胴部１の下端側に凸状をなした片部１３を形成するように第二壁４ａが切り込まれて形成されているので、係合片１１を胴部１側に押圧する一工程だけ（ワンタッチ）で、係合片１１の先端部を係合スリット１２内に挿入することができる。
【００７０】
また、蓋片２を開ける際には、折曲部８を第二壁４ａから離間させるだけで、係合スリット１２から係合片１１を抜くことができるとともに、挿入スリット６から挿入片５を抜くことができ、ワンタッチで蓋片２を開けることができる。
【００７１】
尚、本発明の容器は、上記した実施の形態に限定されるものではなく、本発明の要旨を逸脱しない範囲内において種々変更を加え得ることは勿論である。
【００７２】
上記実施形態にかかる容器は、挿入スリット６に挿入片５を挿入した状態で、この挿入位置より蓋片２の先端側で、蓋片２及び胴部１を互いに係合させる係合手段として、係合片１１を折曲部８の先端に延設したが、係合片１１はこれに限定されるものではなく、係合片１１は、例えば、挿入片５と同様に、折曲部８を切り込んで形成するようにしてもよい。この場合、係合スリット１２は、係合片１１を挿入する位置に形成することは勿論のことである。
【００７３】
また、上記実施形態において、係合片１１を折曲部８（蓋片２）の先端に延設したが、これに限定されるものではなく、例えば、蓋片２を切り込んで挿入片５と同様に基端に向けて凸状をなすように形成してもよい。
【００７４】
上記実施形態において、係合片１１を折曲部８の先端に一つ延設したが、これに限定されるものではなく、例えば、折曲部８の先端縁に該折曲部８の幅方向に間隔を有して複数設けてもよい。また、折曲部８の先端から突出した第一の係合片の両側に、第二の係合片を横方向に突設するようにしてもよい。この場合、係合スリット１２は、第一の係合片、及ぶ第二の係合片のそれぞれを挿入するように、第一の係合片に対応した第一の係合スリットを胴部１に横方向に延びるように形成するとともに、第二の係合片に対応した第二の係合スリットを胴部１に上下方向に延びるように形成すればよい。
【００７５】
上記実施形態において、係合スリット１２を円弧状の切り込みで形成し、これに伴い、片部１３は縁部が円弧状をなすように形成されたが、これに限定されるものではなく、例えば、係合スリット１２をコの字状の切り込みで形成し、片部１３を角形に形成したり、上記実施形態の係合スリット１２とは逆方向（胴部１の上端側に凸状をなす湾曲状）の切り込みで形成し、胴部１の上端側に凸状の片部１３を形成したりしてもよい。また、係合スリット１２に対する係合片１１の嵌め込みをワンタッチで行う必要のない場合には、係合スリット１２を直線状の切り込みで形成してもよい。
【００７６】
また、上記実施形態において、第二壁４ａを切り込むことで係合スリット１２を形成するようにしたが、これに限定されるものではなく、係合スリット１２は、第二壁４ａに穿設した長孔等で構成するようにしてもよい。
【００７７】
上記実施形態において、胴部１の第一壁３ａ，３ｂの上端における一方の角部を四分の一の円弧状に形成し、蓋片２と第二壁４ａとの接続部分（蓋片２の基端）を角が立つように折り曲げることなく、蓋片２（蓋部７）を第一壁３ａ，３ｂの上端縁の形状に対応させて四分の一の円弧状に湾曲させて胴部１の上端開口を閉じるラウンドタイプの容器について説明したが、これに限定されるものではなく、蓋片２を他の湾曲形状、例えば、第一壁３ａ，３ｂの上端における両角部を四分の一の円弧状に形成した構成、すなわち、第一壁３ａ，３ｂの上端を半円弧状（内角を約１８０°に設定した円弧）に形成した構成を採用し、蓋片２（蓋部７）を第一壁３ａ，３ｂの上端縁の形状に対応させて半円弧状に湾曲させて胴部１の開口を閉じるラウンドタイプの容器であってもよい。
【００７８】
また、図５に示す如く、第一壁３ａ，３ｂ、及び第二壁４ａ，４ｂのそれぞれを方形状、或いは矩形状に形成し、蓋片２の基端に折り曲げ罫線を形成し、蓋片２と第二壁４ａの接続部分を角が立つように折り曲げて立方体状、或いは直方体状に形成された容器であってもよい。すなわち、挿入片５を挿入スリット６に挿入した状態で、蓋片２における該挿入片５より先端側で胴部１及び蓋片２を互いに係合させる係合手段を設ける構成は、蓋片２で胴部１の開口を閉塞した際に、蓋片２、或いは蓋片２と胴部１との接続部分が曲げられて、該曲げ部分に弾性力や曲げ応力（残留応力）等が発生し、該弾性力等によって蓋体２による胴部１の開口の閉塞状態が解除される虞のある容器に好適である。
【００７９】
上記実施形態において、胴部１の一端開口である上端開口のみを上記構成の蓋片２で閉じるようにしたが、これに限定されるものではなく、胴部１の両端開口の何れも、上記実施形態の蓋片２と同様の構成で閉じるようにしてもよい。このようにした場合、容器は、筒状の胴部１を横臥状態にして両側端に開口を有し、該開口を蓋片２に開け閉めできるようにしたものにすることもできる。
【００８０】
上記実施形態において、蓋片２を切り込むことで、蓋片２の先端側から基端側に凸状をなす挿入片５を形成するようにしたが、これに限定されるものではなく、挿入片５は、先端側から基端側に凸状をなすように、蓋片２に対して別途設けたシートから形成された片を取り付けて形成してもよい。
【００８１】
上記実施形態において、容器を所定形状に形成した一枚のプラスチックシートから形成したが、これに限定されるものではなく、例えば、紙シートで形成したものであってもよい。ただし、胴部１と蓋片２とを係合させる係合手段（前記係合片１１及び係合スリット１２）を備えた構成は、弾性の強いポリプロピレン等の樹脂製のシートから容器を形成する場合に好適である。
【００８２】
【発明の効果】
以上、説明したように、本発明にかかる容器によれば、シートから形成され、両端が開口した筒状の胴部と、該胴部の開口端縁を基端に延設された蓋片とを備えてなり、蓋片は、開口側に曲げられることで、開口を閉塞可能に構成されるとともに、当該蓋片の先端側から前記基端側に向けて凸状に形成された挿入片を先端部に有してなり、胴部は、当該胴部の開口を閉塞した蓋片の挿入片が挿入される挿入スリットを周壁に有してなる容器において、前記胴部及び蓋片は、挿入スリットに挿入片を挿入した状態で、蓋片の挿入片より先端側で互いに係合する係合手段を備えているので、胴部の開口端縁に延設された蓋片で、当該胴部の開口を閉じた状態を確実に維持することができる。
【図面の簡単な説明】
【図１】本発明の一実施形態にかかる容器の全体斜視図を示す。
【図２】同実施形態にかかる容器であって、蓋片、底片、折込フラップを開いた状態の斜視図を示す。
【図３】同実施形態にかかる容器を形成するプラスチックシート（シート）の平面図を示す。
【図４】同実施形態にかかる容器の蓋片で胴部の上端開口を閉じる際の状態を示す一部断面図であって、（イ）は、折曲部を折り曲げて挿入片を挿入スリットに挿入する状態を示し、（ロ）は、折曲部の折り曲げを元に戻して挿入片が第二壁に沿った姿勢となった状態を示し、（ハ）は、係合片を係合スリットに嵌め込む（挿入する）際の状態を示し、（ニ）は、係合スリットに係合片が挿入されて蓋片と胴部とが互いに係合した状態を示す。
【図５】本発明の他実施形態にかかる容器の全体斜視図を示す。
【図６】従来の容器の全体斜視図を示す。
【図７】従来の容器の一部断面であって、蓋片に設けられた挿入片を胴部に設けられた挿入スリットに挿入した状態を示す。
【符号の説明】
１…胴部、２…蓋片、３ａ，３ｂ…第一壁（周壁）、４ａ，４ｂ…第二壁（周壁）、５…挿入片、６…挿入スリット、７…蓋部、８…折曲部、１１…係合片（係合手段）、１２…係合スリット（係合手段）、１３…片部、１４…底片、１５…折込フラップ、１７…底部、１８…曲げ部、３０…胴部形成部、３１…蓋形成部、３２…底形成部、３３…フラップ形成部、３４ａ，３４ｂ，３４ｃ…第一領域、３５ａ，３５ｂ…第二領域、３１ａ…蓋領域、３１ｂ…折曲領域、３２ａ…底領域、３２ｂ…曲げ領域
【図１】
2004323069.tif 000003
【図２】
2004323069.tif 000004
【図３】
2004323069.tif 000005
【図４】
2004323069.tif 000006
【図５】
2004323069.tif 000007
【図６】
2004323069.tif 000008
【図７】
2004323069.tif 000009